(57)【特許請求の範囲】
【請求項１】
ヨウ素−シクロデキストリン包接体を廃棄物処分場地中及び／又は地表部に存在させる安定型処分場からの硫化水素の発生防止および除去方法。
【請求項２】
ヨウ素−シクロデキストリン包接体を廃棄物処分場地中に存在させるにあたり、ヨウ素−シクロデキストリン包接体を充填した筒状体を廃棄物処分場地中に一端が地表に出るように設置する請求項１に記載の硫化水素の発生防止および除去方法。
【請求項３】
ヨウ素−シクロデキストリン包接体を廃棄物処分場地中に存在させるにあたり、ヨウ素−シクロデキストリン包接体を充填した筒状体をヨウ素−シクロデキストリン包接体が0.1〜1.0kg／m2になるように廃棄物処分場地中に配設する請求項２に記載の硫化水素の発生防止および除去方法。
【請求項４】
底部が水溶性資材からなる筒状体にヨウ素−シクロデキストリン包接体を充填してなる廃棄物処分場からの硫化水素発生防止具。
【発明の詳細な説明】
【０００１】
【発明の属する技術分野】
本発明は、産業廃棄物安定型処分場からの硫化水素の発生防止および除去方法に関する。詳しくはシクロデキストリンに包接されたヨウ素を用いる硫化水素の発生防止および除去方法に関する。
【０００２】
【従来技術】
産業廃棄物処分場には、対象とする廃棄物によって処分場の構造が規制されており、人体または環境に重大な影響を与える有害物質（例えば、水銀、カドミウム、六価クロムなどの重金属、有機リン、PCBなど）を対象とし外部から完全に遮断する必要のある遮蔽型処分場、一般的な廃棄物（例えば、汚泥、紙くず、木屑、繊維くず、動物の糞尿や死体など）を対象とし、埋立地の底部には浸出液による地下水等の汚染を防止するため遮水構造にするとともに、上部には雨水の流入を防止するための側溝、または埋立地からの廃水には汚水処理施設を設けなければならない管理型処分場、有害化することがなく付近の環境を汚染するおそれのない安定性の高い廃棄物のみを埋めることのできる安定型処分場とがある。安定型処分場では許可された安定性の高い５品目（プラスチック、ガラス、ゴム、金属、建設廃材）のみが埋め立てられて、本来硫化水素は発生しないことを前提としており、有害物質の発生に対する配慮はされていないのが現状である。
【０００３】
しかし、安定性が高いといわれるこれら５品目にまったく生分解がないとは云えず、また、分別し難い製品が多く、他の物質の混入も避けられない。硫黄成分を含む生分解性物質が一旦埋められると、嫌気性微生物の活動によって硫化水素が発生する。このような事情から安定型処分場から発生する筈のない硫化水素の発生が問題となっている。例えば、滋賀県は、滋賀県栗東町の産業廃棄物処分場では最高15200ppmの硫化水素を検出したと発表している。しかし、現在、安定型処分場では硫化水素の発生に対する対策として考えられていることは、地表部分での硫化水素の観測で異常が見られたときに、硫化水素ガスを吸収する酸化鉄を含む火山灰などを敷き詰めるとか、活性炭フィルターを付けるとか、ガス抜き管を設置して時間を掛けてガス抜きをする程度のことしか提案されていない。
【０００４】
【発明が解決しようとする課題】
本発明者等は、このような現状に鑑み、既存の安定型処分場における硫化水素発生の問題を解決する方策について鋭意研究した結果、幅広い抗菌スペクトルを有すると共に、硫黄化合物や窒素化合物との反応による消臭効果をも有するヨウ素をシクロデキストリン（以下、CD）に包接させ、埋立地地中または／および地表部に存在させることによって、埋立地中で硫化水素の発生に関与する微生物を死滅させ、および発生した硫化水素を無害化する本発明に到った。
【０００５】
【課題を解決するための手段】
本発明は、安定型産業廃棄物処分場の硫化水素の問題を解決するためになされたものであり、ヨウ素をCDに包接させることによってヨウ素の揮発性を抑えたヨウ素−CD包接体（以下、CDI）を埋め立て地中および／又は地表面に存在させることにより、硫化水素を発生させる微生物を死滅させると同時に、発生した硫化水素と反応して無害化させる方法に関する。具体的には、安定型産業廃棄物処分場に、CDIを充填した筒状体をCDIが0.1〜1 kg／m2になるように廃棄物処分場地中に配設する。CDIを充填した筒状体を３〜10m間隔に地表から１ｍ以上の深さまで到達するように立てることによって、CDI埋立地中に分散存在させ、さらに望ましくは、地表部にCDI粉末を散布する。
【０００６】
【発明の形態】
本発明で用いるCDIは、CDと水溶化したヨウ素とを混合することにより容易に作ることができる（例えば、特開昭51−88625号公報）。CDには、α−CD、β−CD、γ−CDがあり、本発明ではいずれのCDも用いることができるが、好ましくはβ−CDを用いる。
本発明で用いるCDIは水溶性であって通常ヨウ素を蒸散させない。CDIは高湿度または水分の存在下でヨウ素を徐々に放出させる。従って、地表部に粉体として散布したときは望ましくは散水する。又、所定濃度の水溶液として散布することもできる。こうすることによってヨウ素を効果的に作用させることができる。散布されたCDIは地中に徐々に浸透しながらそこに存在する硫化水素を捕捉し無害化すると同時に、硫化水素の発生に関与する微生物を死滅させる。CDIの散布量は、硫化水素の発生の状況、筒状体による地中へのCDIの供給量などによってことなるが、0.1〜1kg/m2、好ましくは0.３〜0.6kg/m2程度散布する。
【０００７】
また、硫化水素の発生に関与する嫌気性菌は埋立地の深層部で多く存在するようであり、CDIは地表部に存在させるよりも、地中のより深い部分に存在させるのが好ましい。
CDIを地中に供給する手段としては、例えば、筒状体を埋立地に一端が地表に出るように設置、例えば打ち込んだ後にCDIを充填すればよい。あるいはCDIを充填した筒状体を埋立地に打ち込み設置する。この場合、CDIを充填した筒上体の先端部は少なくとも地表から２m以上深い位置、好ましくは地表から3〜５mの深さにあるようにする。CDIは筒上体の底部より徐々に分散して広い範囲で作用させることができる。また、複数本設置する筒状体ごとにその先端部の深さを異ならすこともできる。こうすることによってCDIを深さの異なる場所で効果的に作用させることができる。
【０００８】
CDIを予め充填した筒状体を用いる場合、筒状体は水溶性資材、例えば水溶性ポリビニルアルコールの膜で形成された底部を設けてCDIを充填する。設置された後、水溶性膜はやがて溶解してCDIは周囲に分散する。筒状体は直径が３〜20cm、好ましくは５〜15 cmのものを用い、設置する深さや、充填するCDIの量などから適宜選択される。設置する筒状体は地中でのCDIの分散効果から3〜10m間隔、好ましくは5〜７m間隔とし、各筒状体にはCDIを3〜10kg、好ましくは４〜７kg入れる。この量は、硫化水素の発生の状況、筒状体の間隔などによって変えられる。0.1〜1kg/m2、好ましくはCDIが0.３〜0.6kg/m2程度になる量が好ましい。この量は地表部にCDIの散布の有無によっても変えられる。また、筒状体には設置後、CDIを適宜追加充填することもできる。
CDIの入った筒状体の設置と地表面へのCDIの散布を併用する場合、地表面への散布は各筒状体からの効果の及び難い境界部分（略等間隔にある狭い部分）付近のみであってもよい。
また、地中への筒状体の設置および地表部への散布を組み合わせることで嫌気性菌の活発に働いているところ全般にわたってCDIを分散でき効果も向上する。
【０００９】
以下、実施例を挙げて本発明を具体的に説明する。
（CDIの製造例）
2 Lフラスコに水1000ml及びヨウ化カリウム98.8g（0.595モル）を入れ室温で溶解した。これにヨウ素75.6g(0.298モル)を入れ60分間攪拌して溶解させた。これにβ−CD226.8gを入れ室温で30分間攪拌して溶解した後90℃まで加温し直ちに冷却して20℃とした。析出したCDIを分離、洗浄、乾燥してCDI 289.2gを得た。このものの有効ヨウ素量は22.4質量％であった。
なお、このCDI 100ｇを恒湿恒温槽に入れ、温度23℃、湿度50%に保持し、そのCDIの重量変化を測定したところ、恒温槽に入れた直後には水分を吸収して飽和含水率に達するまで10%程度の重量増加が見られたが、以降3500時間、重量はほぼ一定でヨウ素の蒸散は認められなかった。
【００１０】
【実施例１】
安定型産業廃棄物処分場であるが、地表部（地表面から0.5ｍの高さ）に4000ppmの硫化水素が検出される処分場に、直径10cm、長さ6ｍの筒状体を地下5ｍに打ち込み、筒状体内に５kgのＣＤＩを投入した。筒状体にはさらに水１Ｌを注入した。さらに、５kgのＣＤＩを該筒状体を中心とする円内（10m2）に均一に散布した。該円の中心部および該円の円周から１ｍ、２ｍおよび３ｍ離れた地点で硫化水素濃度を無風状態のときを選び１ヶ月に亘り測定した。結果を表１に示す。
【００１１】
【表１】
0003844284.tif 000002
この結果から、ＣＤＩを散布した地点では施行後１ヶ月間硫化水素の発生はまったく見られなかった。
【００１２】
【実施例２】
実施例１と同じ処分場で、実施例１で立てた筒状体から20ｍ離れた点を中心に半径３ｍの円を描き、中心部に実施例１で用いたのと同じ筒状体を打ち込み筒状体内にCDI5kgを投入し、円内に１kgのＣＤＩを均一に散布した。実施例１と同様に散布直後から中心部の硫化水素の濃度を測定した。散布直後は硫化水素の濃度は200ppmまで低下したが、3日後には2800ppmまで上昇した。しかし、5日目には1200ppmに低下し、10日後、及び20日後には硫化水素は検出されなかった。
この結果から、筒状体を通して地下部にCDIを供給することが硫化水素の発生防止に有効であることが分かった。
【００１３】
【発明の効果】
本発明によれば、安定型産業廃棄物埋立地に硫化水素発生のおそれのある有機物が混入した場合において、効果的に硫化水素の発生を防止し、除去することができる。従って、安定型産業廃棄物埋立地周辺の環境への悪影響を防止することができる。